(57)【要約】【課題】複数のビーコン装置を用いて十分な情報提示を行う。【解決手段】無線通信システムは、シーケンス番号と分割データとを含むビーコン信号をそれぞれ発信する複数のビーコン装置と、ビーコン信号を受信する端末装置とを具備する。端末装置の受信部は、ビーコン信号を受信して当該ビーコン信号に含まれるシーケンス番号と分割データとを取得する。端末装置の記憶部は、受信部が取得したシーケンス番号と分割データとを対応付けて記憶する。端末装置の処理部は、記憶部に記憶された分割データをシーケンス番号順に並べて所定の処理を実行する。【選択図】図１
2016076861.tif 000002
【特許請求の範囲】
【請求項１】
シーケンス番号と分割データとを含むビーコン信号をそれぞれ発信する複数のビーコン装置と、
前記ビーコン信号を受信する端末装置と
を具備する無線通信システムであって、
前記端末装置は、
前記ビーコン信号を受信して当該ビーコン信号に含まれる前記シーケンス番号と前記分割データとを取得する受信部と、
前記受信部が取得した前記シーケンス番号と前記分割データとを対応付けて記憶する記憶部と、
前記記憶部に記憶された前記分割データを前記シーケンス番号順に並べて所定の処理を実行する処理部とを備える
無線通信システム。
【請求項２】
前記ビーコン信号は、識別情報をさらに含み、
前記受信部は、前記ビーコン信号に含まれる前記識別情報をさらに取得し、
前記記憶部は、前記受信部が取得した前記識別情報と前記シーケンス番号と前記分割データとを対応付けて記憶し、
前記処理部は、前記識別情報毎に前記分割データを前記シーケンス番号順に並べて前記所定の処理を実行する
請求項１記載の無線通信システム。
【請求項３】
前記ビーコン信号は、分割データ総数をさらに含み、
前記受信部は、前記ビーコン信号に含まれる前記分割データ総数をさらに取得し、
前記処理部は、前記分割データ総数が示す個数の前記分割データを前記シーケンス番号順に並べて結合データを生成して当該結合データに対する前記所定の処理を実行する
請求項１記載の無線通信システム。
【請求項４】
前記受信部は、前記ビーコン信号に含まれる前記分割データがデータの終了を示すデータを含む場合には当該ビーコン信号に含まれる前記シーケンス番号を分割データ総数として取得し、
前記処理部は、前記分割データ総数が示す個数の前記分割データを前記シーケンス番号順に並べて結合データを生成して当該結合データに対する前記所定の処理を実行する
請求項１記載の無線通信システム。
【請求項５】
前記分割データは、文字または文字列からなるテキストデータであり、
前記端末装置は、表示部をさらに備え、
前記処理部は、前記分割データ総数が示す個数の前記分割データを前記シーケンス番号順に並べた文字列を生成して当該文字列を前記表示部に表示させる表示処理を実行する
請求項３または４に記載の無線通信システム。
【請求項６】
前記処理部は、前記分割データ総数が示す個数の前記分割データを所定時間内に前記受信部が取得しない場合には前記記憶部に記憶された前記分割データを破棄する
請求項３記載の無線通信システム。
【請求項７】
前記処理部は、所定時間内に前記受信部が前記分割データ総数を取得しない場合、または、前記分割データ総数が示す個数の前記分割データを前記所定時間内に前記受信部が取得しない場合には、前記記憶部に記憶された前記分割データを破棄する
請求項４記載の無線通信システム。
【請求項８】
前記分割データは、文字または文字列からなるテキストデータであり、
前記端末装置は、表示部をさらに備え、
前記処理部は、前記受信部が前記シーケンス番号と前記分割データとを取得する度に前記分割データを前記表示部における前記シーケンス番号によって示される表示位置に表示させる表示処理を実行する
請求項１記載の無線通信システム。
【請求項９】
複数のビーコン装置から発信されるそれぞれのビーコン信号を受信して当該ビーコン信号に含まれるシーケンス番号と分割データとを取得する受信部と、
前記受信部が取得した前記シーケンス番号と前記分割データとを対応付けて記憶する記憶部と、
前記記憶部に記憶された前記分割データを前記シーケンス番号順に並べて所定の処理を実行する処理部と
を具備する端末装置。
【請求項１０】
複数のビーコン装置と端末装置との間の無線通信方法であって、
前記複数のビーコン装置の各々が、シーケンス番号と分割データとを含むビーコン信号を発信する発信手順と、
前記端末装置が、前記ビーコン信号のそれぞれを受信して当該ビーコン信号に含まれる前記シーケンス番号と前記分割データとを取得する受信手順と、
前記端末装置が、前記受信手順において取得された前記シーケンス番号と前記分割データとを対応付けて記憶する記憶手順と、
前記端末装置が、前記記憶手順において記憶された前記分割データを前記シーケンス番号順に並べて所定の処理を実行する実行手順と
を具備する無線通信方法。
【発明の詳細な説明】
【技術分野】
【０００１】
本発明は、ビーコン信号により情報を提示する技術に関する。詳しくは、複数のビーコン装置を用いて携帯端末に情報を提示する無線通信システム、端末装置および無線通信方法に関する。
【背景技術】
【０００２】
通信端末の普及に伴い、通信端末と電子機器とを接続して、電子機器からの情報を通信端末に発信するシステムが利用されるようになっている。特に、近接無線通信によるビーコン信号を利用して情報提示を行うシステムが注目されている。例えば、購買者側装置が販売店に近づいたことをビーコン信号により検出して、販売者側装置と購買者側装置との間の通信を開始し、商品宣伝などを行うデータ通信システムが提案されている（例えば、特許文献１参照。）。
【先行技術文献】
【特許文献】
【０００３】
【特許文献１】特開２０００−１３４１４７号公報
【発明の概要】
【発明が解決しようとする課題】
【０００４】
上述の従来技術では、購買者側装置から送信された応答信号に基づいてその購買者に対する商品宣伝情報が送信される。しかしながら、ビーコン装置から情報提示をするには、その容量に限りがあり、１台のビーコン装置からでは十分な情報提示を行うことが困難な場合がある。
【０００５】
本発明はこのような状況に鑑みて生み出されたものであり、複数のビーコン装置を用いて十分な情報提示を行うことを目的とする。
【課題を解決するための手段】
【０００６】
本発明は、上述の問題点を解消するためになされたものであり、その第１の側面は、シーケンス番号と分割データとを含むビーコン信号をそれぞれ発信する複数のビーコン装置と、上記ビーコン信号を受信する端末装置とを具備する無線通信システムであって、上記端末装置は、上記ビーコン信号を受信して当該ビーコン信号に含まれる上記シーケンス番号と上記分割データとを取得する受信部と、上記受信部が取得した上記シーケンス番号と上記分割データとを対応付けて記憶する記憶部と、上記記憶部に記憶された上記分割データを上記シーケンス番号順に並べて所定の処理を実行する処理部とを備える無線通信システムおよびその無線通信方法である。これにより、複数のビーコン装置から発信されたビーコン信号に含まれる分割データを、端末装置においてシーケンス番号順に並べて所定の処理を実行させるという作用をもたらす。
【０００７】
また、本発明の第２の側面は、複数のビーコン装置から発信されるそれぞれのビーコン信号を受信して当該ビーコン信号に含まれるシーケンス番号と分割データとを取得する受信部と、上記受信部が取得した上記シーケンス番号と上記分割データとを対応付けて記憶する記憶部と、上記記憶部に記憶された上記分割データを上記シーケンス番号順に並べて所定の処理を実行する処理部とを具備する端末装置である。これにより、複数のビーコン装置から発信されたビーコン信号に含まれる分割データをシーケンス番号順に並べて所定の処理を実行するという作用をもたらす。
【発明の効果】
【０００８】
本発明によれば、複数のビーコン装置を用いて十分な情報提示を行うことができるという優れた効果を奏し得る。
【図面の簡単な説明】
【０００９】
【図１】本発明の実施の形態における無線通信システムの構成例を示す図である。
【図２】本発明の第１の実施の形態におけるビーコン信号の構成例を示す図である。
【図３】本発明の第１の実施の形態における無線通信システムの適用例を示す図である。
【図４】本発明の第１の実施の形態の適用例におけるビーコン信号の一覧の例を示す図である。
【図５】本発明の第１の実施の形態の無線通信システムにおける表示例を示す図である。
【図６】本発明の第１の実施の形態における無線通信システムの処理手順の一例を示す流れ図である。
【図７】本発明の第２の実施の形態におけるビーコン信号の構成例を示す図である。
【図８】本発明の第２の実施の形態の適用例におけるビーコン信号の一覧の例を示す図である。
【図９】本発明の第２の実施の形態における無線通信システムの処理手順の一例を示す流れ図である。
【図１０】本発明の第３の実施の形態における無線通信システムの適用例を示す図である。
【図１１】本発明の第３の実施の形態の適用例におけるビーコン信号の一覧の例を示す図である。
【図１２】本発明の第３の実施の形態の無線通信システムにおける表示例を示す図である。
【図１３】本発明の第３の実施の形態における無線通信システムの処理手順の一例を示す流れ図である。
【発明を実施するための形態】
【００１０】
以下、本発明を実施するための形態（以下、実施の形態と称する）について説明する。
【００１１】
＜１．第１の実施の形態＞
［無線通信システムの構成］
図１は、本発明の実施の形態における無線通信システムの構成例を示す図である。この無線通信システムは、複数のビーコン装置２００と、端末装置１００とを備える。なお、ここでは、１台の端末装置１００を示しているが、端末装置１００についても複数台備えるようにしてもよい。
【００１２】
複数のビーコン装置２００の各々は、周期的にビーコン信号を無線送信により発信するものである。複数のビーコン装置２００がそれぞれ発信するビーコン信号は、所定の長さのデータ（以下、結合データという。）を分割した分割データＤＤを含む。すなわち、複数のビーコン信号に分けて分割データＤＤが送信される。各ビーコン信号は、結合データのうちの何れの分割データＤＤを含んでいるのかを示すシーケンス番号ＳＮを含む。このシーケンス番号ＳＮに従って分割データＤＤを並べることによって、端末装置１００は結合データを構成（復元）することができる。
【００１３】
また、各ビーコン信号は、分割データＤＤが結合データを分割したものであることを識別するために、識別情報ＩＤを含む。この識別情報ＩＤが共通する分割データＤＤを、シーケンス番号ＳＮに従って並べることによって、端末装置１００は結合データを構成することができる。ただし、この識別情報ＩＤは必ずしも同じものでなくてもよく、同じ結合データに関するものであることを識別できればよい。
【００１４】
また、この実施の形態では、各ビーコン信号は、分割データ総数ＴＮを含む。端末装置１００は分割データ総数ＴＮを把握することにより、結合データを構成するために必要な分割データＤＤが全て揃ったか否かを判断することができる。
【００１５】
複数のビーコン装置２００の各々は、記憶部２２０と送信部２３０とを備える。記憶部２２０は、ビーコン信号を構成するために必要な情報を記憶するメモリである。より具体的には、この記憶部２２０は、ビーコン信号を構成するために必要な情報として、識別情報ＩＤと、シーケンス番号ＳＮと、分割データ総数ＴＮと、分割データＤＤとを記憶する。
【００１６】
送信部２３０は、記憶部２２０に記憶された内容に従ってビーコン信号を構成し、そのビーコン信号を無線送信により発信する。ビーコン信号を発信する際の送信部２３０における無線通信の規格として、例えば、超低消費電力に最適化された「Ｂｌｕｅｔｏｏｔｈ（登録商標）  Ｌｏｗ  Ｅｎｅｒｇｙ」（以下、「ＢＬＥ」と略す。）が想定される。なお、端末装置１００に無線送信することができるのであれば、送信部２３０は、Ｗｉ−Ｆｉ（登録商標）規格など、別の通信規格によりビーコン信号を無線送信してもよい。
【００１７】
端末装置１００は、ユーザ（例えば顧客など）が携帯する端末である。この端末装置１００としては、例えば、携帯端末やタブレット型パーソナルコンピュータなどが挙げられる。この端末装置１００は、複数のビーコン装置２００からビーコン信号をそれぞれ受信して、受信したビーコン信号に含まれる情報に基づいて結合データを構成する。この端末装置１００は、処理部１１０と、記憶部１２０と、入力部１３０と、表示部１４０と、受信部１５０とを備える。これらは、バス１９０により相互に接続される。
【００１８】
処理部１１０は、端末装置１００において必要な処理を行うプロセッサである。具体的には、処理部１１０は、受信部１５０におけるビーコン装置２００からのビーコン信号の受信を制御し、また、入力部１３０および表示部１４０におけるユーザインターフェースの制御を行う。また、処理部１１０は、受信した複数のビーコン信号に含まれる分割データＤＤを並べて、結合データを構成する。処理部１１０には、このような処理を行うプログラム（アプリケーション）がインストールされている。
【００１９】
記憶部１２０は、処理部１１０の処理に必要なデータを記憶するメモリである。具体的には、この記憶部１２０は、結合データを構成するために、受信した複数のビーコン信号を記憶する。
【００２０】
入力部１３０は、ユーザからの入力を受け付けるためのものである。この入力部１３０としては、例えば、タッチパネルの触覚センサが想定されるが、外部接続されたキーボードなどを使用してもよい。表示部１４０は、ユーザに対して情報を出力するためのものである。この表示部１４０としては、例えば、タッチパネルの表示部が想定される。したがって、入力部１３０および表示部１４０は、一体化されたタッチパネルとして実現することができる。
【００２１】
受信部１５０は、ビーコン装置２００からビーコン信号を受信するものである。端末装置１００がビーコン装置２００の通信範囲に入ると、発信されたビーコン信号を受信部１５０が受信する。
【００２２】
［ビーコン信号の構成］
図２は、本発明の第１の実施の形態におけるビーコン信号の構成例を示す図である。この第１の実施の形態におけるビーコン信号は、識別情報ＩＤ７１１と、シーケンス番号ＳＮ７１２と、分割データ総数ＴＮ７１３と、分割データＤＤ７１４とを含んでいる。これらの順序はこれに限るものではない。また、ビーコン信号にはさらに他の情報が含まれていてもよい。
【００２３】
［適用例］
図３は、本発明の第１の実施の形態における無線通信システムの適用例を示す図である。この例では、レストラン等の店舗の入口近辺にビーコン装置２００が計２０台設置されている。以下、２０台のビーコン装置２００を区別する場合には、図３に示すように、１から２０までのビーコン装置番号により区別する。
【００２４】
端末装置１００を携帯するユーザが店舗の入口近辺に近づいてビーコン信号の通信範囲内に入ると、ビーコン装置２００からのビーコン信号の受信を開始する。端末装置１００は、２０台のビーコン装置２００からのビーコン信号を全て受信すると、シーケンス番号ＳＮに従って分割データＤＤを並べて、結合データを構成する。そして、その構成された結合データをメッセージとして表示部１４０に表示する。
【００２５】
図４は、本発明の第１の実施の形態の適用例におけるビーコン信号の一覧の例を示す図である。この例では、２０台のビーコン装置２００の各々について、ビーコン信号に含まれる情報（送信データ）として識別情報ＩＤ、シーケンス番号ＳＮ、分割データ総数ＴＮ、および、分割データＤＤが示されている。ここでは、シーケンス番号ＳＮおよび分割データ総数ＴＮのデータ長がそれぞれ８ビット、分割データＤＤのデータ長が１６ビットであることを想定している。
【００２６】
識別情報ＩＤは、全て共通の「＃１」となっている。また、分割データ総数ＴＮは全て「２０」である。シーケンス番号ＳＮは、「１」から「２０」のそれぞれ異なる値を示している。分割データＤＤは１６ビットのデータ長を想定しているため、半角文字を２文字ずつ保持している。この半角文字には、英数字の他に空白（［ｓｐａｃｅ］）などの記号や改行（［ＬＦ］）などの制御文字も含んでよい。
【００２７】
図５は、本発明の第１の実施の形態の無線通信システムにおける表示例を示す図である。端末装置１００は、２０台のビーコン装置２００の全てからビーコン信号を受信すると、シーケンス番号ＳＮに従って分割データＤＤを並べて、構成された結合データをメッセージとして表示部１４０に表示する。この例では、２文字ずつの分割データＤＤを含む２０個のビーコン信号から４０文字の結合データが構成され、「JUL 29-31 ONLY!」（改行）「Buy 1 Get 1 FREE Burger!」とのメッセージが表示部１４０に表示されている。
【００２８】
［処理手順］
図６は、本発明の第１の実施の形態における無線通信システムの処理手順の一例を示す流れ図である。
【００２９】
端末装置１００は、ビーコン信号を受信して、そのビーコン信号に含まれる識別情報ＩＤが所定の値を示すものを待ち受ける（ステップＳ９１１）。なお、以下のステップＳ９１１乃至Ｓ９１７は識別情報ＩＤ毎、または、同じ結合データに関するものであることを示す複数の識別情報ＩＤからなるグループ毎の処理を想定しており、識別情報ＩＤまたは識別情報ＩＤのグループ毎にアプリケーションが結合データを生成することになる。
【００３０】
識別情報ＩＤが所定の値を示すビーコン信号を受信すると（ステップＳ９１２：Ｙｅｓ）、そのビーコン信号に含まれるシーケンス番号ＳＮが既に取得済のものであるか否かを確認する。もし、シーケンス番号ＳＮが既に取得済のものであれば（ステップＳ９１３：Ｙｅｓ）、そのビーコン信号に対して処理を行うことなく、新たなビーコン信号の待ち受け動作（ステップＳ９１１）に戻る。
【００３１】
ビーコン信号に含まれるシーケンス番号ＳＮが取得済のものではない場合には（ステップＳ９１３：Ｎｏ）、シーケンス番号ＳＮおよび分割データＤＤを取得し、それらを対応付けて記憶部１２０に記憶する（ステップＳ９１４）。ここまでの処理によって、全てのシーケンス番号ＳＮの取得が完了していなければ（ステップＳ９１７：Ｎｏ）、新たなビーコン信号の待ち受け動作（ステップＳ９１１）に戻る。なお、この第１の実施の形態では分割データ総数ＴＮが全てのビーコン信号に含まれているため、何れか１つのビーコン信号を受信すれば、取得すべきシーケンス番号ＳＮおよび分割データＤＤの数を把握することが可能である。
【００３２】
全てのシーケンス番号ＳＮの取得が完了すると（ステップＳ９１７：Ｙｅｓ）、処理部１１０は、分割データＤＤをシーケンス番号ＳＮの順序に従って並べて結合データを生成する（ステップＳ９１８）。処理部１１０は、生成された結合データについて所定の処理を行う。ここで、所定の処理としては、結合データがテキストデータであることを想定すると、メッセージ表示アプリケーションによる表示部１４０へのメッセージ表示処理が考えられる。なお、結合データは画像データや音声データなどでもよく、その場合には、所定の処理としては画像表示処理や音声出力処理などが考えられる。
【００３３】
なお、ステップＳ９１４において記憶部１２０に記憶された情報については、適宜消去してもよい。例えば、ステップＳ９１２において所定時間以上経過しても該当するビーコン信号を受信できない場合や、ステップＳ９１７において所定時間以上経過しても全てのシーケンス番号ＳＮを取得できない場合には、記憶部１２０に記憶された情報を破棄するようにしてもよい。
【００３４】
このように、本発明の第１の実施の形態によれば、複数のビーコン信号に分けてビーコン装置２００から送信された分割データＤＤを、端末装置１００においてシーケンス番号ＳＮに従って結合データとして構成することにより、十分な情報提示を行うことができる。
【００３５】
＜２．第２の実施の形態＞
上述の第１の実施の形態では、ビーコン信号の各々が分割データ総数ＴＮを保持しており、何れか１つのビーコン信号を受信することにより、取得すべきシーケンス番号ＳＮおよび分割データＤＤの数を把握できるように構成されていた。これに対し、この第２の実施の形態では、分割データ総数ＴＮをビーコン信号に含ませずに、最終のビーコン信号の分割データＤＤにデータ終了を示すデータ終了記号を含ませる。これにより、分割データ総数ＴＮを重複して送信することを不要とし、そのために使用していた領域を分割データＤＤの送信に利用することができる。
【００３６】
なお、無線通信システムの構成としては、上述の第１の実施の形態と基本的には同様であるため、詳細な説明は省略する。ただし、この第２の実施の形態では、ビーコン装置２００の記憶部２２０において分割データ総数ＴＮを記憶する必要はない。端末装置１００は、データ終了記号を含むビーコン信号を受信することにより、分割データ総数ＴＮを把握することができる。
【００３７】
［ビーコン信号の構成］
図７は、本発明の第２の実施の形態におけるビーコン信号の構成例を示す図である。この第２の実施の形態におけるビーコン信号は、識別情報ＩＤ７２１と、シーケンス番号ＳＮ７２２と、分割データＤＤ７２４とを含んでいる。すなわち、この第２の実施の形態におけるビーコン信号は、第１の実施の形態と異なり、分割データ総数ＴＮを含まない。この第２の実施の形態では、最終のビーコン信号の分割データＤＤにデータ終了記号が含まれるため、それを抽出することにより、端末装置１００は分割データ総数ＴＮを把握することができる。
【００３８】
なお、ビーコン信号に含まれる情報の順序の順不同や、他の情報の許容などについては、上述の第１の実施の形態と同様である。
【００３９】
［適用例］
図８は、本発明の第２の実施の形態の適用例におけるビーコン信号の一覧の例を示す図である。この例では、１４台のビーコン装置２００の各々について、ビーコン信号に含まれる情報（送信データ）として識別情報ＩＤ、シーケンス番号ＳＮ、および、分割データＤＤが示されている。ここでは、シーケンス番号ＳＮのデータ長が８ビットであることを想定している。また、この第２の実施の形態では、ビーコン信号が分割データ総数ＴＮを含まないため、分割データＤＤのデータ長は２４ビットであることを想定している。そのため、第１の実施の形態と比べてより大容量の分割データＤＤを送信することができ、また、必要なビーコン装置２００の台数を削減することができる。
【００４０】
識別情報ＩＤは、全て共通の「＃３」となっている。シーケンス番号ＳＮは、「１」から「１４」のそれぞれ異なる値を示している。分割データＤＤは２４ビットのデータ長を想定しているため、半角文字を３文字ずつ保持している。結合データの内容は第１の実施の形態と同様であるが、分割データＤＤのデータ長が長いため、１つのビーコン信号により多くの文字情報が含まれている。また、シーケンス番号ＳＮが「１４」を示す最終のビーコン信号の分割データＤＤに、データ終了記号（［ＥＯＤ］）が含まれる。なお、この分割データＤＤのデータ終了記号より後のデータは、任意のビット列としてよい。
【００４１】
［処理手順］
図９は、本発明の第２の実施の形態における無線通信システムの処理手順の一例を示す流れ図である。
【００４２】
この第２の実施の形態における処理手順において、ステップＳ９２１乃至Ｓ９２４およびＳ９２７乃至Ｓ９２９は、上述の第１の実施の形態のステップＳ９１１乃至Ｓ９１４およびＳ９１７乃至Ｓ９１９と同様である。
【００４３】
この第２の実施の形態では、ビーコン信号を受信してシーケンス番号ＳＮおよび分割データＤＤを対応付けて記憶部１２０に記憶する際、分割データＤＤにデータ終了記号（［ＥＯＤ］）が含まれる場合には（ステップＳ９２５：Ｙｅｓ）、そのビーコン信号のシーケンス番号ＳＮが分割データ総数ＴＮとして記憶部１２０に記憶される（ステップＳ９２６）。このステップＳ９２６において分割データ総数ＴＮが確定するまでは、ステップＳ９２７において常に「Ｎｏ」と判断され、新たなビーコン信号の待ち受け動作（ステップＳ９２１）に戻る。
【００４４】
なお、上述の第１の実施の形態と同様に、ステップＳ９２４において記憶部１２０に記憶された情報については、適宜消去してもよい。例えば、ステップＳ９２２において所定時間以上経過しても該当するビーコン信号を受信できない場合や、ステップＳ９２５において所定時間以上経過してもデータ終了記号を含むビーコン信号を受信できない場合、ステップＳ９２７において所定時間以上経過しても全てのシーケンス番号ＳＮを取得できない場合には、記憶部１２０に記憶された情報を破棄するようにしてもよい。
【００４５】
このように、本発明の第２の実施の形態では、最終のビーコン信号の分割データＤＤにデータ終了記号を含ませることにより、分割データ総数ＴＮ自体の送信を不要とし、より大容量の分割データＤＤを送信することができ、また、必要なビーコン装置２００の台数を削減することができる。
【００４６】
＜３．第３の実施の形態＞
上述の第１および第２の実施の形態では、シーケンス番号ＳＮの異なる全てのビーコン信号を受信した後に所定の処理を行うこととしていた。これに対し、この第３の実施の形態では、シーケンス番号ＳＮの異なる全てのビーコン信号を受信する前に所定の処理を行うことを想定する。
【００４７】
なお、無線通信システムの構成としては、上述の第１の実施の形態と基本的には同様であるため、詳細な説明は省略する。
【００４８】
［適用例］
図１０は、本発明の第３の実施の形態における無線通信システムの適用例を示す図である。この例では、文字探しゲームの会場を想定している。会場内には、各所にビーコン装置２００が計１２台設置されている。以下、１２台のビーコン装置２００を区別する場合には、図１０に示すように、２１から３２までのビーコン装置番号により区別する。ゲーム参加者は、会場内に隠されたビーコン装置２００から送信されるビーコン信号を探し、そのビーコン信号に含まれる文字によって構成されるキーワードを回答する。
【００４９】
端末装置１００を携帯するユーザが会場内を移動してビーコン信号の通信範囲内に入ると、ビーコン装置２００からのビーコン信号の受信を開始する。端末装置１００は、ビーコン装置２００からのビーコン信号を受信する度に、分割データＤＤに含まれる文字をシーケンス番号ＳＮに従って並べて表示する。
【００５０】
図１１は、本発明の第３の実施の形態の適用例におけるビーコン信号の一覧の例を示す図である。この例では、１２台のビーコン装置２００の各々について、ビーコン信号に含まれる情報（送信データ）として識別情報ＩＤ、シーケンス番号ＳＮ、分割データ総数ＴＮ、および、分割データＤＤが示されている。ここでは、シーケンス番号ＳＮ、分割データ総数ＴＮ、および、分割データＤＤのデータ長が何れも８ビットであることを想定している。
【００５１】
識別情報ＩＤは、全て共通の「＃２」となっている。また、分割データ総数ＴＮは全て「１２」である。シーケンス番号ＳＮは、「１」から「１２」のそれぞれ異なる値を示している。分割データＤＤは８ビットのデータ長を想定しているため、半角文字を１文字ずつ保持している。
【００５２】
図１２は、本発明の第３の実施の形態の無線通信システムにおける表示例を示す図である。最初に何れかのビーコン装置２００からビーコン信号を受信した時点で、分割データ総数ＴＮを把握できるため、全体の文字数が判明する。そのため、この全体の文字数に基づいて各文字の表示枠を表示することができる。そして、新たなシーケンス番号ＳＮを有するビーコン信号を受信する度に、シーケンス番号ＳＮが示す位置の表示枠に、分割データＤＤが示す文字を表示部１４０に表示していく。この適用例では、ゲーム参加者は、会場内に隠された全ての文字が揃う前であっても、キーワードを推定して回答することができるものとする。
【００５３】
［処理手順］
図１３は、本発明の第３の実施の形態における無線通信システムの処理手順の一例を示す流れ図である。
【００５４】
この第３の実施の形態における処理手順において、ステップＳ９３１乃至Ｓ９３４およびＳ９３７は、上述の第１の実施の形態のステップＳ９１１乃至Ｓ９１４およびＳ９１７と同様である。
【００５５】
この第３の実施の形態では、ビーコン信号を受信してシーケンス番号ＳＮおよび分割データＤＤを対応付けて記憶部１２０に記憶する際、全てのシーケンス番号ＳＮの取得が完了する前であっても、分割データＤＤをシーケンス番号ＳＮの順序に従って並べて画面表示を行う（ステップＳ９３５）。このとき、揃っていない個所は空白となり、いわゆる虫食い状態で表示される。
【００５６】
このように、本発明の第３の実施の形態では、全てのシーケンス番号ＳＮの取得が完了する前であっても、ビーコン信号を受信する度に所定の処理を行うことができ、用途に応じた表示を行うことができる。
【００５７】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【００５８】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【００５９】
１００  端末装置
１１０  処理部
１２０  記憶部
１３０  入力部
１４０  表示部
１５０  受信部
１９０  バス
２００  ビーコン装置
２２０  記憶部
２３０  送信部
【図１】
2016076861.tif 000003
【図２】
2016076861.tif 000004
【図３】
2016076861.tif 000005
【図４】
2016076861.tif 000006
【図５】
2016076861.tif 000007
【図６】
2016076861.tif 000008
【図７】
2016076861.tif 000009
【図８】
2016076861.tif 000010
【図９】
2016076861.tif 000011
【図１０】
2016076861.tif 000012
【図１１】
2016076861.tif 000013
【図１２】
2016076861.tif 000014
【図１３】
2016076861.tif 000015